(57)【要約】【課題】取付作業及び荷姿形態保持作業が容易でコスト面及び環境面において良好なワイヤハーネス用クリップを提供する。【解決手段】ワイヤハーネス用クリップ１は、ワイヤハーネス９０に複数取り付けられるものであって、各ワイヤハーネス用クリップ１は、それぞれワイヤハーネス９０に取り付けられこれを把持する把持部１０と、把持部１０が複数取り付けられたワイヤハーネス９０をＵ字状に折り曲げた場合に対向配置される各把持部１０の対向側にそれぞれ一体的に設けられ、対向配置された把持部１０同士を対向方向に着脱するために互いに係合可能な複数の係合部である片状部３０及び受け部４０を有する係合ロック部２０とを備える。【選択図】図１
2015089247.tif 000002
【特許請求の範囲】
【請求項１】
ワイヤハーネスに取り付けられるワイヤハーネス用クリップであって、
前記ワイヤハーネスを把持する把持部と、
前記把持部の一端面に設けられ、複数の前記ワイヤハーネス用クリップが同一向きで取り付けられた前記ワイヤハーネスを前記把持部の一端面同士が対向するようにＵ字状に折り返した場合に前記把持部同士が互いに係合可能に形成され、前記把持部の一端面上の基準点に対して点対称位置に配置され、一方が他方に対して天地逆転した状態で互いに係合可能な複数の係合部を有する係合ロック部と
を備えたことを特徴とするワイヤハーネス用クリップ。
【請求項２】
前記把持部の他端面側に設けられ、前記把持部を被固定部材に固定するためのアンカー部を更に備えた
ことを特徴とする請求項１記載のワイヤハーネス用クリップ。
【請求項３】
前記係合ロック部は、前記複数の係合部として形状の異なる第１係合部及び第２係合部を有し、前記把持部同士を対向方向に動かすことにより、形状の異なる第１係合部及び第２係合部が互いに前記対向方向に係合されてロックされる
ことを特徴とする請求項１又は２記載のワイヤハーネス用クリップ。
【請求項４】
前記第１係合部は、前記把持部の前記対向側の端部から前記対向方向に突出する凸部からなり、前記第２係合部は、前記第１係合部が前記対向方向に嵌まる凹部からなる
ことを特徴とする請求項３記載のワイヤハーネス用クリップ。
【請求項５】
前記係合ロック部は、前記複数の係合部として形状の異なる第１係合部及び第２係合部を有し、対向方向を回転軸として前記把持部同士を相対的に逆方向に回動させることにより、前記第１係合部及び前記第２係合部が互いに回動方向に係合されてロックされる
ことを特徴とする請求項１又は２記載のワイヤハーネス用クリップ。
【請求項６】
前記第１係合部は、前記把持部に把持された前記ワイヤハーネスのハーネス軸方向に沿って前記把持部の一端から延びる片状部からなり、前記第２係合部は、前記片状部とは前記ハーネス軸方向に反対側の前記把持部の他端に設けられた前記片状部が嵌まる受け部からなる
ことを特徴とする請求項５記載のワイヤハーネス用クリップ。
【請求項７】
前記受け部は、前記ハーネス軸方向視で前記回動方向に長辺部が突出するＬ字状外形を有する
ことを特徴とする請求項６記載のワイヤハーネス用クリップ。
【請求項８】
前記第１係合部は、前記把持部に把持された前記ワイヤハーネスのハーネス軸方向に沿って前記把持部の一端から延びる第１片状部の延出先端側近傍において前記対向方向に立設する柱状部及びこの柱状部の先端側に設けられた頭部を有するリベット状部からなり、前記第２係合部は、前記第１片状部とは前記ハーネス軸方向に反対側の前記把持部の他端から前記ハーネス軸方向に沿って延びる第２片状部の延出先端側近傍において前記リベット状部の頭部が嵌まるコの字断面形状の受け部からなる
ことを特徴とする請求項５記載のワイヤハーネス用クリップ。
【請求項９】
前記第１及び第２係合部は、前記Ｕ字状に折り曲げられた前記ワイヤハーネスのハーネス軸方向がねじれた状態から平行な状態となるように前記把持部同士を回動させたときに互いに係合される
ことを特徴とする請求項５〜８のいずれか１項記載のワイヤハーネス用クリップ。
【請求項１０】
前記係合ロック部は、前記複数の係合部として第１係合部、第２係合部、第３係合部及び第４係合部を有し、前記対向方向に形成された回転軸を回転中心として前記把持部同士を相対的に逆方向に回動させることにより、前記第１係合部、前記第２係合部、前記第３係合部及び前記第４係合部が互いに回動方向に係合されてロックされる
ことを特徴とする請求項１又は２記載のワイヤハーネス用クリップ。
【請求項１１】
前記第１及び第２係合部は、前記把持部に把持された前記ワイヤハーネスのハーネス軸方向及びこれと前記回転軸に対して９０°異なる方向に沿って前記把持部の端部からそれぞれ延びる第１片状部及び第２片状部からなり、前記第３及び第４係合部は、前記回転軸に対し前記第１及び第２片状部とはそれぞれ１８０°異なる方向の前記把持部の端部にそれぞれ設けられた前記第１及び第２片状部がそれぞれ嵌まる第１受け部及び第２受け部からなる
ことを特徴とする請求項１０記載のワイヤハーネス用クリップ。
【請求項１２】
前記第１受け部は、前記ハーネス軸方向視で前記回動方向に長辺部が突出するＬ字状外形を有し、前記第２受け部は、前記９０°異なる方向視で前記回動方向に長辺部が突出するＬ字状外形を有する
ことを特徴とする請求項１１記載のワイヤハーネス用クリップ。
【請求項１３】
前記第１及び第２係合部は、前記把持部に把持された前記ワイヤハーネスのハーネス軸方向及びこれと前記回転軸に対して９０°異なる方向に沿って前記把持部の端部からそれぞれ延びる第１片状部及び第２片状部の延出先端側近傍において前記対向方向にそれぞれ立設する柱状部及びこの柱状部の先端側に設けられた頭部を有する第１リベット状部及び第２リベット状部からなり、前記第３及び第４係合部は、前記回転軸に対し前記第１及び第２片状部とはそれぞれ１８０°異なる方向に沿って前記把持部の端部からそれぞれ延びる第３片状部及び第４片状部の延出先端側近傍において前記第１及び第２リベット状部の頭部がそれぞれ嵌まるコの字断面形状の第１受け部及び第２受け部からなる
ことを特徴とする請求項１０記載のワイヤハーネス用クリップ。
【請求項１４】
前記第１、第２、第３及び第４係合部は、前記Ｕ字状に折り曲げられた前記ワイヤハーネスのハーネス軸方向がねじれた状態から平行な状態となるように前記把持部同士を回動させたときに、前記第１及び第４係合部同士並びに前記第２及び第３係合部同士が互いに係合される
ことを特徴とする請求項１０〜１３のいずれか１項記載のワイヤハーネス用クリップ。
【発明の詳細な説明】
【技術分野】
【０００１】
この発明は、ワイヤハーネスを把持するワイヤハーネス用クリップに関する。
【背景技術】
【０００２】
従来より、ワイヤハーネスを把持して配線相手部材（被固定部材）に取り付けて固定するためのクリップが知られている（例えば、下記特許文献１参照）。このクリップは、ケーブルを把持するための把持部と、配線相手部材の取付孔に差し込まれる脚部（アンカー部）とを備える。把持部は、ソケットと、これに対して脚部の軸線に交差する方向から挿入される挿入片とを有する。ケーブルは、挿入片のフックがソケット内のロック爪に係合することで把持部にロックされる。
【０００３】
そして、ソケット内部の挿入片を案内する内壁面は、挿入片及びフックが通過することができると共に、フックがロック爪に係合した状態を保持する形状に形成されている。これにより、ソケットに対する挿入片の挿入荷重の軽減や挿入後の把持部のロック保持を可能にしつつ、ケーブルが配線される配線相手部材の表面に対するケーブル把持位置の飛び出し量を抑えている。
【先行技術文献】
【特許文献】
【０００４】
【特許文献１】特開２００９−１３１０３１号公報
【発明の概要】
【発明が解決しようとする課題】
【０００５】
しかしながら、上述した特許文献１に開示された従来技術のクリップは、把持部がケーブルをロックすることに特化した構造である。このため、クリップを取り付けた後にケーブルを所定の荷姿形態にするためには、例えばケーブルを丸めたりした後に別途テープ部材で止めて、所定の荷姿形態を保持する必要がある。
【０００６】
このような場合、テープ止め等の荷姿形態保持作業の作業工数がかかる上に荷姿形態を解いたときにはテープ部材が廃棄物となってしまう。このため、コスト面及び環境面の両面から好ましいとは言い難かった。なお、荷姿形態保持作業の前段階として、クリップのケーブルへの取付作業は、同一方向から同一向きで行った方が効率が良いので、このような取付作業の後にテープ部材等を用いずにケーブルを所定の荷姿形態にすることが望まれている。
【０００７】
この発明は、上述した従来技術による問題点を解消し、ワイヤハーネスに対して同一方向から同一向きで取付可能で、別途テープ部材等を用いずにワイヤハーネスをＵ字状に折り曲げた状態の荷姿形態に保持することができ、取付作業及び荷姿形態保持作業が容易でコスト面及び環境面において良好なワイヤハーネス用クリップを提供することを目的とする。
【課題を解決するための手段】
【０００８】
本発明に係るワイヤハーネス用クリップは、ワイヤハーネスに取り付けられるワイヤハーネス用クリップであって、前記ワイヤハーネスを把持する把持部と、前記把持部の一端面に設けられ、複数の前記ワイヤハーネス用クリップが同一向きで取り付けられた前記ワイヤハーネスを前記把持部の一端面同士が対向するようにＵ字状に折り返した場合に前記把持部同士が互いに係合可能に形成され、前記把持部の一端面上の基準点に対して点対称位置に配置され、一方が他方に対して天地逆転した状態で互いに係合可能な複数の係合部を有する係合ロック部とを備えたことを特徴とする。
【０００９】
本発明に係るワイヤハーネス用クリップによれば、ワイヤハーネスを把持する把持部が複数取り付けられたワイヤハーネスをＵ字状に折り曲げた場合に対向配置される各把持部の対向側に、対向配置された把持部同士を対向方向に着脱するために互いに係合可能な複数の係合部を有する係合ロック部が設けられている。このため、ワイヤハーネスに対して同一方向から同一向きで把持部を取り付けた後に、ワイヤハーネスをＵ字状に折り曲げた状態の荷姿形態にした上で把持部同士を係合ロック部によりロックし、この荷姿形態を保持することができる。一方、荷姿形態を解くときには、把持部同士のロックを解除すれば良いので、廃棄物が発生することはない。従って、廃棄物を発生させることなく荷姿形態保持作業の作業工数を削減することができるので、コスト面及び環境面において良好なワイヤハーネス用クリップを提供することができる。
【００１０】
本発明の一実施形態においては、前記把持部の他端面側に設けられ、前記把持部を被固定部材に固定するためのアンカー部を更に備える。
【００１１】
本発明の他の実施形態においては、前記係合ロック部は、前記複数の係合部として形状の異なる第１係合部及び第２係合部を有し、前記把持部同士を前記対向方向に動かすことにより、形状の異なる第１係合部及び第２係合部が互いに前記対向方向に係合されてロックされる。
【００１２】
本発明の更に他の実施形態においては、前記第１係合部は、前記把持部の前記対向側の端部から前記対向方向に突出する凸部からなり、前記第２係合部は、前記第１係合部が前記対向方向に嵌まる凹部からなる。
【００１３】
本発明の更に他の実施形態においては、前記係合ロック部は、前記複数の係合部として形状の異なる第１係合部及び第２係合部を有し、前記対向方向を回転軸として前記把持部同士を相対的に逆方向に回動させることにより、第１係合部及び第２係合部が互いに回動方向に係合されてロックされる。
【００１４】
本発明の更に他の実施形態においては、前記第１係合部は、前記把持部に把持された前記ワイヤハーネスのハーネス軸方向に沿って前記把持部の一端から延びる片状部からなり、前記第２係合部は、前記片状部とは前記ハーネス軸方向に反対側の前記把持部の他端に設けられた前記片状部が嵌まる受け部からなる。
【００１５】
本発明の更に他の実施形態においては、前記受け部は、前記ハーネス軸方向視で前記回動方向に長辺部が突出するＬ字状外形を有する。
【００１６】
本発明の更に他の実施形態においては、前記第１係合部は、前記把持部に把持された前記ワイヤハーネスのハーネス軸方向に沿って前記把持部の一端から延びる第１片状部の延出先端側近傍において前記対向方向に立設する柱状部及びこの柱状部の先端側に設けられた頭部を有するリベット状部からなり、前記第２係合部は、前記第１片状部とは前記ハーネス軸方向に反対側の前記把持部の他端から前記ハーネス軸方向に沿って延びる第２片状部の延出先端側近傍において前記リベット状部の頭部が嵌まるコの字断面形状の受け部からなる。
【００１７】
本発明の更に他の実施形態においては、前記第１及び第２係合部は、前記Ｕ字状に折り曲げられた前記ワイヤハーネスのハーネス軸方向がねじれた状態から平行な状態となるように前記把持部同士を回動させたときに互いに係合される。
【００１８】
本発明の更に他の実施形態においては、前記係合ロック部は、前記複数の係合部として第１係合部、第２係合部、第３係合部及び第４係合部を有し、前記対向方向に形成された回転軸を回転中心として前記把持部同士を相対的に逆方向に回動させることにより、前記第１係合部、前記第２係合部、前記第３係合部及び前記第４係合部が互いに回動方向に係合されてロックされる。
【００１９】
本発明の更に他の実施形態においては、前記第１及び第２係合部は、前記把持部に把持された前記ワイヤハーネスのハーネス軸方向及びこれと前記回転軸に対して９０°異なる方向に沿って前記把持部の端部からそれぞれ延びる第１片状部及び第２片状部からなり、前記第３及び第４係合部は、前記回転軸に対し前記第１及び第２片状部とはそれぞれ１８０°異なる方向の前記把持部の端部にそれぞれ設けられた前記第１及び第２片状部がそれぞれ嵌まる第１受け部及び第２受け部からなる。
【００２０】
本発明の更に他の実施形態においては、前記第１受け部は、前記ハーネス軸方向視で前記回動方向に長辺部が突出するＬ字状外形を有し、前記第２受け部は、前記９０°異なる方向視で前記回動方向に長辺部が突出するＬ字状外形を有する。
【００２１】
本発明の更に他の実施形態においては、前記第１及び第２係合部は、前記把持部に把持された前記ワイヤハーネスのハーネス軸方向及びこれと前記回転軸に対して９０°異なる方向に沿って前記把持部の端部からそれぞれ延びる第１片状部及び第２片状部の延出先端側近傍において前記対向方向にそれぞれ立設する柱状部及びこの柱状部の先端側に設けられた頭部を有する第１リベット状部及び第２リベット状部からなり、前記第３及び第４係合部は、前記回転軸に対し前記第１及び第２片状部とはそれぞれ１８０°異なる方向に沿って前記把持部の端部からそれぞれ延びる第３片状部及び第４片状部の延出先端側近傍において前記第１及び第２リベット状部の頭部がそれぞれ嵌まるコの字断面形状の第１受け部及び第２受け部からなる。
【００２２】
本発明の更に他の実施形態においては、前記第１、第２、第３及び第４係合部は、前記Ｕ字状に折り曲げられた前記ワイヤハーネスのハーネス軸方向がねじれた状態から平行な状態となるように前記把持部同士を回動させたときに、前記第１及び第４係合部同士並びに前記第２及び第３係合部同士が互いに係合される。
【発明の効果】
【００２３】
本発明によれば、取付作業及び荷姿形態保持作業が容易でコスト面及び環境面において良好なワイヤハーネス用クリップを提供することができる。
【図面の簡単な説明】
【００２４】
【図１】本発明の一実施形態に係るワイヤハーネス用クリップを示す外観斜視図である。
【図２】同ワイヤハーネス用クリップの正面図である。
【図３】同ワイヤハーネス用クリップの右側面図である。
【図４】同ワイヤハーネス用クリップの左側面図である。
【図５】同ワイヤハーネス用クリップの背面図である。
【図６】同ワイヤハーネス用クリップの平面図である。
【図７】同ワイヤハーネス用クリップの底面図である。
【図８】同ワイヤハーネス用クリップを用いて荷姿形態を保持する際のワイヤハーネスを示す図である。
【図９】同ワイヤハーネス用クリップによる荷姿形態保持前の状態を示す斜視図である。
【図１０】同ワイヤハーネス用クリップによる荷姿形態保持後の状態を示す斜視図である。
【図１１】同ワイヤハーネス用クリップの変形例を示す図である。
【図１２】同ワイヤハーネス用クリップの変形例を示す図である。
【図１３】同ワイヤハーネス用クリップの変形例を示す図である。
【図１４】同ワイヤハーネス用クリップの変形例を示す図である。
【発明を実施するための形態】
【００２５】
以下、添付の図面を参照して、この発明の実施の形態に係るワイヤハーネス用クリップを詳細に説明する。
【００２６】
図１は、本発明の一実施形態に係るワイヤハーネス用クリップを示す外観斜視図である。図２〜図７は、ワイヤハーネス用クリップの６面図であり、図２は正面図、図３は右側面図、図４は左側面図、図５は背面図、図６は平面図及び図７は底面図である。また、図８は、ワイヤハーネス用クリップを用いて荷姿形態を保持する際のワイヤハーネスを示す図である。更に、図９及び図１０は、ワイヤハーネス用クリップによる荷姿形態保持作業における動作を説明するための図であり、図９は荷姿形態保持前の状態を、図１０は荷姿形態保持後の状態をそれぞれ示している。
【００２７】
図１〜図７に示すように、本実施形態に係るワイヤハーネス用クリップ（以下、単に「クリップ」と呼ぶ。）１は、ワイヤハーネス（以下、単に「ハーネス」と呼ぶ。）９０（例えば図１０参照）に複数取り付けられる。各クリップ１は、それぞれ、合成樹脂等を一体成形してなり、例えばハーネス９０に取り付けられてこれを把持する把持部１０を備える。
【００２８】
また、各クリップ１は、この把持部１０が複数取り付けられたハーネス９０をＵ字状に折り曲げた場合に対向配置される各把持部１０の対向側にそれぞれ一体的に設けられた係合ロック部２０を備える。なお、ハーネス９０を上記Ｕ字状に折り曲げた状態を本実施形態に係る荷姿形態とする。
【００２９】
係合ロック部２０は、上記のように対向配置された把持部１０同士を対向方向（図２及び図８中矢印で示すＡ方向、以下同じ。）に着脱するために互いに係合可能な複数の係合部を有している。本例においては、例えば複数の係合部として、互いに形状の異なる第１係合部の片状部３０と、第２係合部の受け部４０とが設けられている。
【００３０】
また、各クリップ１は、把持部１０のロック部２０形成側とはＡ方向に沿って反対側に設けられたアンカー部５０を備える。アンカー部５０は、例えばハーネス９０を把持した各把持部１０を車両フレーム部材や車両パネル部材等の図示しない被固定部材に取り付けて固定し、ハーネス９０を配索するために備えられる。なお、アンカー部５０は、例えばハーネス９０を配索する必要がない場合は備えられていなくても良い。
【００３１】
アンカー部５０は、上述した被固定部材に形成された固定穴に挿入される雄型の挿入部５１と、この挿入部５１の把持部１０側端部に配置された円形皿状の位置決め板５２とを備える。すなわち、挿入部５１は、把持部１０の上面に形成された位置決め板５２からＡ方向に突設されている。また、挿入部５１には、このＡ方向の突設先端側から基端側（把持部１０側）にかけて、斜めに開いたような外観形状の複数の挿入羽根５３が設けられている。
【００３２】
各挿入羽根５３の位置決め板５２に向かう方向の先端部外側には、上記被固定部材の固定穴の周縁部に係合して挿入部５１の固定穴からの脱落を防止するための挿入羽根突起５３ａがそれぞれ形成されている。一方、位置決め板５２は、被固定部材の表面と当接してクリップ１の被固定部材への取付固定位置を決定するために設けられている。
【００３３】
この位置決め板５２は、挿入部５１を被固定部材の固定穴に挿入する際に、被固定部材の表面と当接するとその挿入方向に対して反対方向に撓む弾性を備えている。従って、位置決め板５２は、この弾性により挿入方向に対する反力として、挿入部５１を固定穴から引き抜こうとする力を発生させる。
【００３４】
すなわち、各クリップ１にこのような構成のアンカー部５０を採用することで、挿入はね５３の挿入羽根突起５３ａが固定穴の一方の周縁部に引っ掛かるので、位置決め板５２の反力に対抗するという作用が生じる。従って、アンカー部５０により、被固定部材へのクリップ１の安定した取付固定状態を得ることが可能となる。
【００３５】
把持部１０は、アンカー部５０のＡ方向下端側に形成された把持部本体１１と、この把持部本体１１に対してヒンジ部１９を介して下方に開閉自在に設けられた把持部蓋部１２とを備える。また、把持部１０には、把持部本体１１に対して把持部蓋部１２を閉じた状態としたときに、図３及び図４に示すような左右側方視でロの字状となるハーネス挿通孔１３が形成される。
【００３６】
把持部本体１１は、矩形ブロック状に形成され、上記ハーネス挿通孔１３の一部を構成しヒンジ部１９側と反対方向に開口する凹状の複数のハーネス引掛け部１４を有する。ハーネス引掛け部１４は、把持部１０に把持されたハーネス９０のハーネス軸方向（図２中矢印で示すＢ方向、以下同じ）の把持部本体１１の両端部側に設けられている。
【００３７】
また、把持部本体１１は、上記ハーネス引掛け部１４間においてアンカー部５０側に凹んだ形状の蓋部ロック用凹部１５を有する。この蓋部ロック用凹部１５には、把持部蓋部１２を閉じた状態としたときに、後述する把持部蓋部１２に形成された蓋部ロック用弾性片１６が係合する。
【００３８】
把持部蓋部１２は、平板状に形成され、一部に上記閉じた状態のときに把持部本体１１の蓋部ロック用凹部１５に挿入されて係合する蓋部ロック用弾性片１６が形成されている。蓋部ロック用弾性片１６の先端側には、蓋部ロック用凹部１５内に形成された内側凹部の周縁部に引っ掛かる弾性突起１６ａがそれぞれ形成されている。
【００３９】
そして、蓋部ロック用弾性片１６の一部の側面は、把持部蓋部１２を閉じた状態としたときに上記ハーネス引掛け部１４と共にハーネス挿通孔１３の一部を構成する。なお、蓋部ロック用凹部１５と蓋部ロック用弾性片１６との係合は、公知の種々の態様を採ることができる。
【００４０】
一方、係合ロック部２０の片状部３０は、Ｂ方向に把持部１０の把持部蓋部１２の一端から平板状に延びる形状で形成されている。係合ロック部２０の受け部４０は、片状部３０とはＢ方向に反対側の把持部蓋部１２の他端に設けられ、片状部３０が嵌まる形状に形成されている。
【００４１】
この受け部４０は、図３及び図４に示すように、例えばＢ方向視で把持部１０の回動方向（図８中矢印で示すＣ方向、以下同じ。）に長辺部４１が突出するＬ字状外形を有する。また、受け部４０の長辺部４１の突出方向先端側には、上記閉じた状態のときに把持部１０側に僅かに突出する係合突起４１ａが形成されている。
【００４２】
係合突起４１ａは、片状部３０が受け部４０に嵌まり係合されるときに、僅かに片状部３０の回動に抗する抵抗となり、完全係合時には片状部３０が受け部４０から外れないようにするストッパとなる。受け部４０は、片状部３０が係合途中にあるときには、僅かに長辺部４１が下方に撓むように形成されている。
【００４３】
本実施形態に係る係合ロック部２０は、具体的には、例えば上述したように対向配置された各把持部１０間の中心を通りＡ方向に沿って形成された回転軸Ｐ（図２〜図４参照。）を回転中心として、把持部１０同士を相対的に逆方向に回動させることにより、片状部３０と受け部４０とが互いに回動方向に係合／非係合されてロック／非ロックされる構造を備える。
【００４４】
このように構成された各クリップ１は、ハーネス９０の荷姿形態保持作業においては、次のように使用される。まず、直線状に作業台等に配置されたハーネス９０に対し、各クリップ１を、各ハーネス引掛け部１４にハーネス９０を引っ掛けるようにして把持部蓋部１２が開いた状態の把持部本体１１が同一方向から同一向きで取り付けられるように、所定間隔毎に取り付ける。
【００４５】
そして、把持部本体１１の蓋部ロック用凹部１５に蓋部ロック用弾性片１６を係合させて把持部蓋部１２を閉じ、ハーネス挿通孔１３にハーネス９０を把持する。その後、図８に示すように、直線状のハーネス９０をＵ字状に折り曲げて各クリップ１の係合ロック部２０が対向側に配置されるように各把持部１０を対向配置する。
【００４６】
各把持部１０を対向配置したら、図９に示すように、Ｕ字状に折り曲げられたハーネス９０の各把持部１０におけるＢ方向がねじれたような状態にしたまま、各把持部１０を把持部蓋部１２の底面同士が当接するようにＡ方向に接近させる。最後に、各把持部１０におけるＢ方向が平行な状態となるようにハーネス９０と共に各把持部１０をＣ方向に沿って相対的に逆方向に回動させることで、対向配置された片状部３０が受け部４０にそれぞれ嵌まり、図１０に示すように、係合ロック部２０により各クリップ１がロックされる。
【００４７】
係合ロック部２０における片状部３０及び受け部４０の係合状態は、受け部４０の長辺部４１の係合突起４１ａにより保持されると共に、各把持部１０に把持されたハーネス９０の直線状に戻ろうとする力により保持される。これにより、係合ロック部２０によるロック状態は、意図的に各把持部１０をＣ方向に沿って相対的にロックを解除する方向に回動させなければ容易に解かれることはない。
【００４８】
従って、本実施形態に係るクリップ１を用いれば、各クリップ１をハーネス９０に対して同一方向から同一向きで取り付けることができ取付作業が容易となる。また、ハーネス９０をＵ字状に折り曲げた荷姿形態に保持する荷姿形態保持作業は、対向配置されたクリップ１の片状部３０及び受け部４０をそれぞれ係合させて係合ロック部２０をロックするだけでできるので、テープ部材等と比して非常に容易となる。これにより、作業工数を大幅に削減してコスト面で有利とすることができる。また、別途テープ部材等を用いずに荷姿形態を保持することができるので、環境面でも有利となる。
【００４９】
図１１〜図１４は、それぞれ本実施形態に係るクリップ１の変形例を示す図である。以下においては、把持部１０を簡易的に表した上でクリップ１の係合ロック部２０の異なる態様について説明する。まず、図１１に示すように、係合ロック部２０は、例えば対向配置された把持部１０同士を上記Ａ方向に動かすことにより、互いに形状の異なる第１係合部及び第２係合部が互いにＡ方向に係合されてロックされる構造であっても良い。
【００５０】
このような場合、例えば第１係合部は把持部１０の下端部１８からＡ方向に突出する凸部６１からなり、第２係合部はこの凸部６１がＡ方向に嵌まる凹部６２を有する柱状部６２ａからなることが挙げられる。このような構成であっても、上述したような荷姿形態保持等の作用効果を奏することができる。
【００５１】
また、図１２に示すように、係合ロック部２０は、回転軸Ｐを回転中心として把持部１０同士をＣ方向に沿って相対的に逆方向に回動させることにより、第１係合部及び第２係合部が互いにＣ方向に係合されてロックされる構造であっても良い。この場合、第１及び第２係合部は、例えば対向配置された把持部１０間の中心を対称点とする点対称に形成、配置されたＬ型部６３，６３からなることが挙げられる。このような構成であれば、上述した取付作業におけるハーネス９０への把持部１０の取り付け方向や向きを同一としなくても、上述したような荷姿形態保持等の作用効果を奏することができる。
【００５２】
また、図１３に示すように、係合ロック部２０は、回転軸Ｐを回転中心として回動されて第１及び第２係合部が係合されロックされる構造は図１２に示したものと同様である上で、第１及び第２係合部が次のような構造であっても良い。すなわち、第１係合部はＡ方向に沿って把持部１０の一端から延びる第１片状部６４の延出先端側近傍においてＡ方向に立設する柱状部６４ａ及びこの柱状部６４ａの先端側に設けられた頭部６４ｂを有するリベット状部６６からなる。
【００５３】
また、第２係合部は、第１片状部６４とはＡ方向に反対側の把持部１０の他端からＡ方向に沿って延びる第２片状部６５の延出先端側近傍においてリベット状部６６の頭部６４ｂが嵌まるコの字断面形状の受け部６７からなる。このような構成であっても、上述したような荷姿形態保持等の作用効果を奏することができる。
【００５４】
更に、図１４に示すように、係合ロック部２０は、回転軸Ｐを回転中心として回動されて複数の係合部が係合されロックされる構造は図１２に示したものと同様である上で、複数の係合部が第１係合部、第２係合部、第３係合部及び第４係合部からなるような構造であっても良い。
【００５５】
各第１〜第４係合部は、上述したようなハーネス９０のＡ方向がねじれた状態から平行な状態となるように把持部１０同士を回動させたときに、第１係合部と第４係合部とが、また第２係合部と第３係合部とがそれぞれ互いに係合されるように構成されていても良い。
【００５６】
この場合、例えば第１及び第２係合部は、Ａ方向及びこれと回転軸Ｐに対して９０°異なる方向に沿って把持部１０の端部からそれぞれ延びる第１片状部７１及び第２片状部７２からなる。また、第３及び第４係合部は、回転軸Ｐに対して第１及び第２片状部７１，７２とはそれぞれ１８０°異なる方向の把持部１０の端部からそれぞれ延びる第３片状部７３及び第４片状部７４にそれぞれ設けられ、第１及び第２片状部７１，７２がそれぞれ嵌まる第１受け部７５及び第２受け部７６からなる。
【００５７】
第１受け部７５は、例えばＡ方向視でＣ方向に長辺部７５ａが突出するＬ字状外形を有し、第２受け部７６は、上記９０°異なる方向視でＣ方向に長辺部７６ａが突出するＬ字状外形を有する。このような構成であっても、上述したような荷姿形態保持等の作用効果を奏することができる。なお、第１及び第２受け部７５，７６は第３及び第４片状部７３，７４を省略して把持部１０の端部にそれぞれ設けられていても良い。
【００５８】
その他、係合ロック部２０は、図示は省略するが次のような構成であっても良い。すなわち、第１及び第２係合部が、Ａ方向及びこれと回転軸Ｐに対して９０°異なる方向に沿って把持部１０の端部からそれぞれ延びる第１片状部及び第２片状部の延出先端側近傍においてＡ方向にそれぞれ立設する柱状部及びこの柱状部の先端側に設けられた頭部を有する第１リベット状部及び第２リベット状部からなる。
【００５９】
また、第３及び第４係合部は、回転軸Ｐに対し第１及び第２片状部とはそれぞれ１８０°異なる方向に沿って前記把持部１０の端部からそれぞれ延びる第３片状部及び第４片状部の延出先端側近傍において第１及び第２リベット状部の頭部がそれぞれ嵌まるコの字断面形状の第１受け部及び第２受け部からなる。このような構成であっても、上記と同様の作用効果を奏することができる。
【符号の説明】
【００６０】
１          ワイヤハーネス用クリップ
１０        把持部
１１        把持部本体
１２        把持部蓋部
１３        ハーネス挿通孔
１４        ハーネス引掛け部
１５        蓋部ロック用凹部
１６        蓋部ロック用弾性片
１９        ヒンジ部
２０        係合ロック部
３０        片状部
４０        受け部
４１        長辺部
４１ａ      係合突起
５０        アンカー部
【図１】
2015089247.tif 000003
【図２】
2015089247.tif 000004
【図３】
2015089247.tif 000005
【図４】
2015089247.tif 000006
【図５】
2015089247.tif 000007
【図６】
2015089247.tif 000008
【図７】
2015089247.tif 000009
【図８】
2015089247.tif 000010
【図９】
2015089247.tif 000011
【図１０】
2015089247.tif 000012
【図１１】
2015089247.tif 000013
【図１２】
2015089247.tif 000014
【図１３】
2015089247.tif 000015
【図１４】
2015089247.tif 000016